(57)【要約】【課題】使用済み吸収性物品を包んだ包装材を止着テープによって止着しやすい吸収性物品包装体、及び、吸収性物品のパッケージを提供すること。【解決手段】吸収性物品（１）と、包装材（１０）と、止着テープ（４０）とを有する吸収性物品包装体（２０）であって、止着テープ（４０）は、粘着部（４０１）を介して包装材（１０）に接合されており、止着テープ（４０）は、柄部（４１２）と、透明部（４１１）とを備えたデザイン部（４１）を有し、デザイン部（４１）における透明部（４１１）の面積の割合は５０％よりも大きく、透明部（４１１）は、止着テープ（４０）の粘着部（４０１）と重なり部分を有すること。【選択図】図４
2018102978.tif 000002
【特許請求の範囲】
【請求項１】
生理用ナプキン、パンティライナー、又は吸収パッドである吸収性物品と、
前記吸収性物品を包装する包装材と、
前記吸収性物品を内包して折り畳まれた前記包装材の開封端を止着する止着テープと、
を有する吸収性物品包装体であって、
前記止着テープは、粘着部を介して前記包装材に接合されており、
前記止着テープは、柄部と、透明部とを備えたデザイン部を有し、
前記デザイン部における前記透明部の面積の割合は５０％よりも大きく、
前記透明部は、前記止着テープの前記粘着部と重なり部分を有すること
を特徴とする吸収性物品包装体。
【請求項２】
請求項１に記載の吸収性物品包装体であって、
前記開封端に沿う第１方向と、前記第１方向に直交する第２方向とを有し、
前記第２方向において、前記吸収性物品包装体の開封時に前記止着テープが剥離される前記包装材の部位側である一方側と、その反対側である他方側とを有し、
前記デザイン部の少なくとも一部は、前記開封端よりも前記第２方向の前記一方側に配置されていることを特徴とする吸収性物品包装体。
【請求項３】
請求項２に記載の吸収性物品包装体であって、
前記止着テープにおける前記デザイン部の面積の割合は５０％以上であり、
前記デザイン部は、前記開封端を跨ぎ、前記開封端よりも前記第２方向の前記他方側にも配置されていることを特徴とする吸収性物品包装体。
【請求項４】
請求項１から３の何れか１項に記載の吸収性物品包装体であって、
前記開封端に沿う第１方向と、前記第１方向に直交する第２方向とを有し、
前記第２方向において、前記吸収性物品包装体の開封時に前記止着テープが剥離される前記包装材の部位側である一方側と、その反対側である他方側とを有し、
前記止着テープは、前記第２方向の前記一方側の端部において、非粘着部である摘み部を有し、
前記摘み部は透明部を備えていないことを特徴とする吸収性物品包装体。
【請求項５】
請求項４に記載の吸収性物品包装体であって、
前記止着テープは、前記第２方向における前記デザイン部と前記摘み部の間において、中間部を有し、
前記中間部は、前記透明部に比べて光線透過率が低く、かつ、前記摘み部に比べて光線透過率が高いことを特徴とする吸収性物品包装体。
【請求項６】
請求項５に記載の吸収性物品包装体であって、
前記摘み部は、前記止着テープが折り返された部位であり、
前記中間部は、前記止着テープの粘着部と重なり部分を有することを特徴とする吸収性物品包装体。
【請求項７】
請求項１から３の何れか１項に記載の吸収性物品包装体であって、
前記開封端に沿う第１方向と、前記第１方向に直交する第２方向とを有し、
前記第２方向において、前記吸収性物品包装体の開封時に前記止着テープが剥離される前記包装材の部位側である一方側と、その反対側である他方側とを有し、
前記止着テープは、前記第２方向の前記一方側の端部において、非粘着部である摘み部を有し、
前記摘み部は、前記デザイン部が折り返された部位である第１層部と、前記第１層部に重なる前記デザイン部の部位である第２層部とを有し、
前記第１層部の前記柄部の少なくとも一部は、前記第２層部の前記柄部とずれていることを特徴とする吸収性物品包装体。
【請求項８】
請求項１から７の何れか１項に記載の吸収性物品包装体であって、
前記デザイン部における前記柄部の面積の割合は１５％以上であることを特徴とする吸収性物品包装体。
【請求項９】
請求項１から８の何れか１項に記載の吸収性物品包装体であって、
前記柄部は、光線透過率の異なる部位を有することを特徴とする吸収性物品包装体。
【請求項１０】
請求項１から９の何れか１項に記載の吸収性物品包装体であって、
前記柄部は、光線透過率が３５％以上７０％未満である部位を有することを特徴とする吸収性物品包装体。
【請求項１１】
請求項１から１０の何れか１項に記載の吸収性物品包装体であって、
前記止着テープの縁の少なくとも一部に、前記透明部が配置されていることを特徴とする吸収性物品包装体。
【請求項１２】
請求項１から１１の何れか１項に記載の吸収性物品包装体であって、
前記デザイン部において、複数の前記柄部が離散的に配置されていることを特徴とする吸収性物品包装体。
【請求項１３】
請求項１から１２の何れか１項に記載の吸収性物品包装体であって、
前記包装材は、前記吸収性物品包装体の外部から視認可能なデザイン柄を有し、
前記包装材が有する１つの前記デザイン柄の面積は、前記止着テープが有する１つの前記柄部の面積よりも大きいことを特徴とする吸収性物品包装体。
【請求項１４】
請求項１３に記載の吸収性物品包装体であって、
前記包装材は、前記吸収性物品を包装する際に内側になる面、及び、外側になる面を有し、
前記デザイン柄は、前記内側になる面に印刷されており、前記外側になる面側から透かして視認可能であることを特徴とする吸収性物品包装体。
【請求項１５】
請求項１３又は１４に記載の吸収性物品包装体を複数内包する吸収性物品包装体のパッケージであって、前記包装材が有する前記デザイン柄に対する前記止着テープの重なり部分が異なる複数の吸収性物品包装体を有することを特徴とする吸収性物品包装体のパッケージ。
【発明の詳細な説明】
【技術分野】
【０００１】
本発明は、吸収性物品包装体、及び、吸収性物品包装体のパッケージに関する。
【背景技術】
【０００２】
吸収性物品包装体として、特許文献１には、吸収性物品と、包装材（包装シート）とを備え、吸収性物品の長手方向に折り畳まれた包装材付き吸収性物品が開示されている。包装材の長手方向における端部には、包装材に止着可能であると共に、包装材付き吸収性物品が折り畳まれた状態を維持させる止着テープが配置されている。
【先行技術文献】
【特許文献】
【０００３】
【特許文献１】特開２００９−１７８２７５号公報
【発明の概要】
【発明が解決しようとする課題】
【０００４】
ユーザーは、吸収性物品包装体を使用する際に、まず、止着テープを剥がして開封する。そのため、止着テープの位置がユーザーに認知されやすいように、一般の止着テープは、透明性を有さず、その全体が着色されている。一方、止着テープは、使用済み吸収性物品を包んで折り畳まれた包装材を止着するために利用されることがある。一般の透明性を有さない止着テープの場合、止着テープを包装材に貼る際に、止着テープの粘着部が包装材の端を跨いでいるか否かの確認が難しい。そのため、止着テープで包装材をしっかりと止着できずに包装材が開き、使用済み吸収性物品が露出しまうといった問題が生じていた。
【０００５】
そこで、本発明は、使用済み吸収性物品を包んだ包装材を止着テープによって止着しやすい吸収性物品包装体、及び、吸収性物品包装体のパッケージの提供を目的とする。
【課題を解決するための手段】
【０００６】
上記目的を達成するための主たる発明は、生理用ナプキン、パンティライナー、又は吸収パッドである吸収性物品と、前記吸収性物品を包装する包装材と、前記吸収性物品を内包して折り畳まれた前記包装材の開封端を止着する止着テープと、を有する吸収性物品包装体であって、前記止着テープは、粘着部を介して前記包装材に接合されており、前記止着テープは、柄部と、透明部とを備えたデザイン部を有し、前記デザイン部における前記透明部の面積の割合は５０％よりも大きく、前記透明部は、前記止着テープの前記粘着部と重なり部分を有することを特徴とする吸収性物品包装体である。
本発明の他の特徴については、本明細書及び添付図面の記載により明らかにする。
【発明の効果】
【０００７】
本発明によれば、使用済み吸収性物品を包んだ包装材を止着テープによって止着しやすい吸収性物品包装体、及び、吸収性物品包装体のパッケージを提供できる。
【図面の簡単な説明】
【０００８】
【図１】図１Ａは吸収性物品包装体２０の平面図であり、図１Ｂは吸収性物品包装体２０の概略断面図である。
【図２】吸収性物品包装体２０を開封して展開し、ナプキン１の肌側から見た状態の図である。
【図３】図３Ａ及び図３Ｂは吸収性物品包装体２０の折り畳み方法の説明図である。
【図４】図４Ａは止着テープ４０の平面図であり、図４Ｂは止着テープ４０の断面図である。
【図５】個包装体２０における止着テープ４０の位置を説明する図である。
【図６】図６Ａ及び図６Ｂは使用済みナプキン１の廃棄方法を説明する図である。
【図７】図７Ａ及び図７Ｂは止着テープ４０の摘み部４２が折れた状態を説明する図である。
【図８】図８Ａ及び図８Ｂは止着テープ４０の変形例を説明する図である。
【図９】図９Ａは個包装体２０のパッケージ５０の概略斜視図であり、図９Ｂ及び図９Ｃは、パッケージ５０が内包する個包装体２０の平面図である。
【発明を実施するための形態】
【０００９】
本明細書及び添付図面の記載により、少なくとも以下の事項が明らかとなる。
生理用ナプキン、パンティライナー、又は吸収パッドである吸収性物品と、前記吸収性物品を包装する包装材と、前記吸収性物品を内包して折り畳まれた前記包装材の開封端を止着する止着テープと、を有する吸収性物品包装体であって、前記止着テープは、粘着部を介して前記包装材に接合されており、前記止着テープは、柄部と、透明部とを備えたデザイン部を有し、前記デザイン部における前記透明部の面積の割合は５０％よりも大きく、前記透明部は、前記止着テープの前記粘着部と重なり部分を有することを特徴とする吸収性物品包装体である。
【００１０】
このような吸収性物品包装体によれば、吸収性物品の廃棄時に（使用済み吸収性物品を包んだ包装材を止着テープで止着する時に）、透明部を介して包装材を視認できる。そのため、包装材に止着テープを止着しやすく、しっかりと止着できる。よって、使用済み吸収性物品を包んだ包装材が開いてしまうことを抑制できる。
【００１１】
かかる吸収性物品包装体であって、前記開封端に沿う第１方向と、前記第１方向に直交する第２方向とを有し、前記第２方向において、前記吸収性物品包装体の開封時に前記止着テープが剥離される前記包装材の部位側である一方側と、その反対側である他方側とを有し、前記デザイン部の少なくとも一部は、前記開封端よりも前記第２方向の前記一方側に配置されていることを特徴とする吸収性物品包装体である。
【００１２】
このような吸収性物品包装体によれば、吸収性物品の廃棄時に、包装材から止着テープを分離しない場合にも、ユーザーは透明部を目印として強く押すことができ、包装材に止着テープをしっかりと止着できる。
【００１３】
かかる吸収性物品包装体であって、前記止着テープにおける前記デザイン部の面積の割合は５０％以上であり、前記デザイン部は、前記開封端を跨ぎ、前記開封端よりも前記第２方向の前記他方側にも配置されていることを特徴とする吸収性物品包装体である。
【００１４】
このような吸収性物品包装体によれば、吸収性物品の廃棄時に、透明部を介して視認可能な包装材の面積が増え、また、透明部を介して包装材の端を視認できる。そのため、包装材に止着テープを止着しやすく、しっかりと止着できる。
【００１５】
かかる吸収性物品包装体であって、前記開封端に沿う第１方向と、前記第１方向に直交する第２方向とを有し、前記第２方向において、前記吸収性物品包装体の開封時に前記止着テープが剥離される前記包装材の部位側である一方側と、その反対側である他方側とを有し、前記止着テープは、前記第２方向の前記一方側の端部において、非粘着部である摘み部を有し、前記摘み部は透明部を備えていないことを特徴とする吸収性物品包装体である。
【００１６】
このような吸収性物品包装体によれば、摘み部によって止着テープの位置が認知されやすくなる。
【００１７】
かかる吸収性物品包装体であって、前記止着テープは、前記第２方向における前記デザイン部と前記摘み部の間において、中間部を有し、前記中間部は、前記透明部に比べて光線透過率が低く、かつ、前記摘み部に比べて光線透過率が高いことを特徴とする吸収性物品包装体である。
【００１８】
このような吸収性物品包装体によれば、止着テープを剥離する方向に沿って、濃淡のグラデーションが止着テープに形成される。よって、止着テープを剥離する方向が認知されやすくなる。
【００１９】
かかる吸収性物品包装体であって、前記摘み部は、前記止着テープが折り返された部位であり、前記中間部は、前記止着テープの粘着部と重なり部分を有することを特徴とする吸収性物品包装体である。
【００２０】
このような吸収性物品包装体によれば、摘み部が折れてしまった場合にも、中間部によって止着テープの位置が認知されやすくなる。
【００２１】
かかる吸収性物品包装体であって、前記開封端に沿う第１方向と、前記第１方向に直交する第２方向とを有し、前記第２方向において、前記吸収性物品包装体の開封時に前記止着テープが剥離される前記包装材の部位側である一方側と、その反対側である他方側とを有し、前記止着テープは、前記第２方向の前記一方側の端部において、非粘着部である摘み部を有し、前記摘み部は、前記デザイン部が折り返された部位である第１層部と、前記第１層部に重なる前記デザイン部の部位である第２層部とを有し、前記第１層部の前記柄部の少なくとも一部は、前記第２層部の前記柄部とずれていることを特徴とする吸収性物品包装体である。
【００２２】
このような吸収性物品包装体によれば、摘み部において柄部の面積比率が高まる。そのため、摘み部によって止着テープの位置が認知されやすくなる。
【００２３】
かかる吸収性物品包装体であって、前記デザイン部における前記柄部の面積の割合は１５％以上であることを特徴とする吸収性物品包装体である。
【００２４】
このような吸収性物品包装体によれば、止着テープの位置が認知されやすくなる。
【００２５】
かかる吸収性物品包装体であって、前記柄部は、光線透過率の異なる部位を有することを特徴とする吸収性物品包装体である。
【００２６】
このような吸収性物品包装体によれば、光線透過率の高い柄部を介して包装材を視認しやすく、光線透過率の低い柄部によって止着テープの位置が認知されやすくなる。
【００２７】
かかる吸収性物品包装体であって、前記柄部は、光線透過率が３５％以上７０％未満である部位を有することを特徴とする吸収性物品包装体である。
【００２８】
このような吸収性物品包装体によれば、柄部を介して包装材を視認しやすくなる。
【００２９】
かかる吸収性物品包装体であって、前記止着テープの縁の少なくとも一部に、前記透明部が配置されていることを特徴とする吸収性物品包装体である。
【００３０】
このような吸収性物品包装体によれば、止着テープの輪郭が分かりにくくなり、吸収性物品包装体の止着テープらしさを軽減できる。
【００３１】
かかる吸収性物品包装体であって、前記デザイン部において、複数の前記柄部が離散的に配置されていることを特徴とする吸収性物品包装体である。
【００３２】
このような吸収性物品包装体によれば、透明部を介して包装材を視認しやすくなる。
【００３３】
かかる吸収性物品包装体であって、前記包装材は、前記吸収性物品包装体の外部から視認可能なデザイン柄を有し、前記包装材が有する１つの前記デザイン柄の面積は、前記止着テープが有する１つの前記柄部の面積よりも大きいことを特徴とする吸収性物品包装体である。
【００３４】
このような吸収性物品包装体によれば、止着テープの柄部によって、包装材のデザイン柄が隠れてしまうことを抑制できる。
【００３５】
かかる吸収性物品包装体であって、前記包装材は、前記吸収性物品を包装する際に内側になる面、及び、外側になる面を有し、前記デザイン柄は、前記内側になる面に印刷されており、前記外側になる面側から透かして視認可能であることを特徴とする吸収性物品包装体である。
【００３６】
このような吸収性物品包装体によれば、包装材のデザイン柄と止着テープが重なる場合にも、止着テープの位置が認知されやすくなる。
【００３７】
かかる吸収性物品包装体を複数内包する吸収性物品包装体のパッケージであって、前記包装材が有する前記デザイン柄に対する前記止着テープの重なり部分が異なる複数の吸収性物品包装体を有することを特徴とする吸収性物品包装体のパッケージ。
【００３８】
このような吸収性物品包装体のパッケージによれば、個包装体によってデザインの違いを楽しめる。
【００３９】
＝＝＝実施形態＝＝＝
＜＜吸収性物品包装体の基本構成＞＞
図１Ａは、吸収性物品包装体２０の平面図であり、図１Ｂは、吸収性物品包装体２０の概略断面図である。図２は、吸収性物品包装体２０を開封して展開し、ナプキン１の肌側から見た状態の図である。図３Ａ及び図３Ｂは、吸収性物品包装体２０の折り畳み方法の説明図である。
【００４０】
吸収性物品包装体２０は、生理用ナプキン、パンティライナー（おりものシート）、又は吸収パッドである吸収性物品１と、吸収性物品１を包装する包装材１０とを有する。吸収パッドとしては、具体的に、パッドタイプのおむつ、テープ型おむつ、パンツ型おむつ、母乳パッド等の吸収性物品を例示できる。また、生理用ナプキンは図２等に示すものに限らずショーツ型の生理用ナプキン等であってもよい。本実施形態の吸収性物品包装体２０は、吸収性物品である生理用ナプキン１（以下「ナプキン」ともいう）が包装材１０によって個別に包装されたものとする（以下「個包装体」ともいう）。
【００４１】
ナプキン１は、図２に示すように、互いに直交する長手方向及び短手方向を有するとともに、排泄液を吸収する吸収体２と、吸収体２よりも肌側に配置された液透過性のトップシート３と、吸収体２よりも非肌側に配置された液不透過性のバックシート（不図示）を有するものを例示できる。また、本実施形態のナプキン１は、長手方向の略中央部において、短手方向の外側に延出した一対のウィング部５を有するが、ウィング部５を有していないナプキンであってもよい。
【００４２】
包装材１０は、長方形状であるシート状の部材であり、互いに直交する長手方向及び短手方向を有する。以下の説明では、ナプキン１を包装する際に内側になる包装材１０の面を内側面１０１といい、外側になる包装材１０の面を外側面１０２という。また、包装材１０は、吸収性物品包装体２０の外部から（外側面１０２側から）視認可能なデザイン柄３０を複数有する。このデザイン柄３０は包装材１０の内側面１０１側からも視認可能である。本実施形態では、包装材１０のデザイン柄３０として、動物（黒猫）の図柄を例示するが、これに限定されない。
【００４３】
図２に示すように、個包装体２０を開封して展開した状態において、包装材１０の内側面１０１上に、ナプキン１がその肌側面を上にして配置されている。また、包装材１０の短手方向とナプキン１の短手方向が沿い、包装材１０の長手方向とナプキン１の長手方向が沿っている。本実施形態の個包装体２０では、包装材１０が、ナプキン１と共にナプキン１の肌側面を内側にし、短手方向に沿う２つの折り位置ＦＬ１，ＦＬ２にて折り畳まれているものとする。
【００４４】
また、個包装体２０を開封して展開した状態において、包装材１０の長手方向一方側の端部には、止着テープ４０が設けられている。止着テープ４０は、その一部が包装材１０の長手方向の外側に延出するように、包装材１０の外側面１０２に接合されている。止着テープ４０は、図１Ａに示すように、ナプキン１を内包して折り畳まれた包装材１０の開封端１０ａを止着する。
【００４５】
個包装体２０は、製品状態（図１Ａ）において、互いに直交する横方向、縦方向、及び厚み方向を有する。個包装体２０の横方向が包装材１０及びナプキン１の短手方向に沿い、個包装体２０の縦方向が包装材１０及びナプキン１の長手方向に沿っている。また、個包装体２０の横方向の両側部１３では、包装材１０が接合されている。接合方法は、例えば、ヒートシール、超音波シール、接着剤、これらの組み合わせ等、周知の接合方法を例示できる。
【００４６】
ユーザーが、個包装体２０の使用時に止着テープ４０を把持して引っ張ると、ナプキン１の長手方向一方側（止着テープ４０側）の折り位置ＦＬ１での折りが展開され、図３Ｂの状態になる。この時、ウィング部５の上面の粘着部５Ａ（図３Ａ参照）は剥離シート１２で覆われている。さらに、ナプキン１の長手方向他方側の折り位置ＦＬ２での折りが展開されると、図３Ａの状態となる。
【００４７】
＜＜止着テープ４０について＞＞
図４Ａは、止着テープ４０の平面図であり、図４Ｂは、止着テープ４０の断面図である。図５は、個包装体２０における止着テープ４０の位置を説明する図である。図６Ａ及び図６Ｂは、使用済みナプキン１の廃棄方法を説明する図である。図７Ａ及び図７Ｂは、止着テープ４０の摘み部４２が折れた状態を説明する図である。なお、図面の煩雑さを避けるため、一部の図では包装材１０のデザイン柄３０を省略している。
【００４８】
包装材１０の開封端１０ａを止着する止着テープ４０は、互いに直交する縦方向及び横方向を有し、縦方向に延びた長方形状の部材である。止着テープ４０の横方向が個包装体２０の横方向に沿い（包装材１０の開封端１０ａに沿う第１方向に沿い）、止着テープ４０の縦方向が個包装体２０の縦方向（第１方向に直交する第２方向）に沿うように、止着テープ４０は個包装体２０に配置されている。
【００４９】
図１Ｂに示すように、個包装体２０において、縦方向の一方側の包装材の部位１０１上に、縦方向の他方側の包装材の部位１０２が折り重ねられている。そのため、縦方向の一方側は、個包装体２０の開封時に止着テープ４０が剥離される包装材の部位１０１側となる。そして、縦方向の他方側は、個包装体２０の開封時に止着テープ４０が接合されたままとなる包装材の部位１０２側となる。つまり、縦方向の一方側が、止着テープ４０の剥がし始めの側となる。
【００５０】
また、図４Ｂに示すように、止着テープ４０は、その片側面において、粘着部４０１と、非粘着部４０２とを有する。粘着部４０１では、止着テープ４０の片側面に塗布された粘着剤４４が露出している。個包装体２０において、止着テープ４０の粘着部４０１は、包装材１０の開封端１０ａを跨ぐように配置されており、止着テープ４０は粘着部４０１を介して包装材１０に接合されている。粘着部４０１の強度は、ユーザーが包装材１０から止着テープ４０を剥離可能な強度とする。また、粘着部４０１は、包装材１０から止着テープ４０が剥離された後、止着テープ４０を包装材１０に再接着可能とする。
【００５１】
また、止着テープ４０は、縦方向の一方側から順に、摘み部４２、中間部４３、及び、デザイン部４１を有する。デザイン部４１は、複数の柄部４１２と、透明部４１１とを備えている。透明部４１１とは光線透過率が７０％以上の領域であり、柄部４１２とは光線透過率が７０％未満の領域とする。発明者による試行の結果、光線透過率が７０％以上である場合、ユーザーが透明であるという印象を持つことが分かったからである。
【００５２】
本実施形態では、透明部４１１を無色透明とし、複数の柄部４１２として、有色（例えばピンク色）である複数のドット４１２が千鳥状に配置されたものを例示する。具体的には、無色透明のポリエチレンやポリプロピレン等の樹脂素材に、柄部４１２が印刷されたものを、止着テープ４０のデザイン部４１とする。ただし上記に限定されず、透明部４１１は有色透明であってもよく、柄部４１２は白色であってもよい。また、柄部４１２の数は複数に限らず、１つであってもよい。柄部４１２の形状もドットに限らず、後述の図８Ｂに示す星や、ハート、草花、動物等、種々の形状であってよい。また、柄部４１２は、文字や数字や記号等であってもよく、例えば商品名やサイズ、形式（羽付き）等を示すものであってもよい。
【００５３】
そして、デザイン部４１における透明部４１１の面積の割合は５０％よりも大きいとする。すなわち、透明部４１１の面積を、デザイン部４１全体の面積で除した値が０．５よりも大きいとする。つまり、デザイン部４１において透明部４１１が主な領域であり、デザイン部４１の一部分に柄部４１２が設けられている。本実施形態では、デザイン部４１における透明部４１１の面積の割合を７０％としている。
【００５４】
また、図４Ｂに示すように、デザイン部４１の全てが止着テープ４０の粘着部４０１と重なっており、包装材１０に接合可能となっている。
【００５５】
ところで、止着テープ４０は、使用済みナプキン１の廃棄時に利用されることが多い。具体的に説明すると、ユーザーは、下着から使用済みナプキン１を取り外して丸めるとともに、個包装体２０から新しいナプキン１を取り出して下着に取り付ける。そして、新しいナプキン１から分離された包装材１０で、使用済みナプキン１を包み込む。その後、図６Ａ及び図６Ｂに示すように、包装材１０から止着テープ４０を剥がし、止着テープ４０で包装材１０の端１０ａを止着する。そうすることで、包装材１０及び使用済みナプキン１が開いて露出することなく、使用済みナプキン１を廃棄できる。
【００５６】
本実施形態の止着テープ４０では、デザイン部４１の主な領域が透明部４１１となっている。そのため、ナプキン１の廃棄時に、ユーザーは、デザイン部４１が包装材１０の端１０ａを跨いでいることを、透明部４１１を介して視認し、確認しながら、止着テープ４０を包装材１０に配置できる。また、透明部４１１（デザイン部４１）は、止着テープ４０の粘着部４０１と重なり部分を有する。そのため、包装材１０の端１０ａの一方側の包装材の部位１０３にも、他方側の包装材の部位１０４にも、止着テープ４０の粘着部４０１を配置できる。よって、包装材１０の端１０ａを止着テープ４０でしっかりと止着できる。
【００５７】
また、透明部４１１によって包装材１０の端１０ａが視認可能となることで、ユーザー１０は包装材１０の端１０ａ周辺を指で押すことができる。また、透明部４１１を介して視認される包装材１０が、止着テープ４０にしっかりと接合されており、浮いていないことを確認できる。
【００５８】
このように、透明部４１１を備える止着テープ４０は、使用済みナプキン１を包んだ包装材１０に止着しやすく、包装材１０に止着テープ４０をしっかりと接合できる。よって、使用済みナプキンを包んだ包装材１０が開いてしまうことを抑制できる。
【００５９】
その他、止着テープ４０が透明部４１１を備えていることで、一般のナプキンの包装体の止着テープとは異なる印象をユーザーに付与できる。よって、本実施形態の個包装体２０では、ナプキンの包装体らしさが軽減され、ユーザーは個包装体２０を携帯しやすくなる。
【００６０】
また、デザイン部４１は、透明部４１１のみで構成されるのではなく、柄部４１２を備えているため、包装材１０と一体化しない。そのため、ユーザーは個包装体２０における止着テープ４１の位置を認知でき、個包装体２０をスムーズに開封できる。また、柄部４１２によって止着テープ４１のデザイン性も増す。
【００６１】
なお、デザイン部４１における透明部４１１の面積の割合は、周知の方法で確認するとよい。例えば、止着テープ４０を撮影した画像に基づいて、面積算出プログラムを利用して確認できる。また、目視によって確認してもよい。後述する面積の割合（止着テープ４０におけるデザイン部４１の面積の割合、デザイン部４１における柄部４１２の面積の割合、包装材１０のデザイン柄３０とデザイン部４１の柄部４１２との面積比較）についても同様に確認できる。
【００６２】
また、透明部４１１の光線透過率は、周知の方法で測定するとよい。例えば、日本電色工業株式会社製の測色色差計又はそれと同等のものを用いて、ＪＩＳ  Ｋ  ７３７５に準拠して測定できる。後述する光線透過率（柄部４１２、摘み部４２、中間部４３の光線透過率）についても同様である。
【００６３】
また、個包装体２０において（図５参照）、デザイン部４１の少なくとも一部が、包装材１０の開封端１０ａよりも縦方向の一方側（止着テープ４０の剥がし始めの側）に配置されていることが好ましい。
【００６４】
ナプキン１の廃棄時に、包装材１０から止着テープ４０を分離せずに、使用済みナプキン１を包んだ包装材１０を止着テープ４０で止着するユーザーもいる。その場合にも、上記であれば、ユーザーは、包装材１０の開封端１０ａよりも縦方向の一方側のデザイン部４１の部位を目印として、その部位を指で押すことができ、包装材１０に止着テープ４０を止着しやすい。また、透明部４１１を介して視認される包装材１０が、止着テープ４０に接合されており、浮いていないかを確認できる。そのため、包装材１０に止着テープ４０をしっかりと接合でき、使用済みナプキン１を包んだ包装材１０が開いてしまうことを抑制できる。
【００６５】
より好ましくは、止着テープ４０におけるデザイン部４１の面積の割合は５０％以上であるとよい。換言すると、図４Ａに示すように、デザイン部４１の縦方向の長さＬ１は、止着テープ４０全体の縦方向の長さＬ２の半分以上であるとよい（Ｌ１≧Ｌ２／２）。本実施形態では、デザイン部４１の縦方向の長さＬ１を１３ｍｍ、中間部４３の縦方向の長ｓを７ｍｍ、摘み部４２の縦方向の長さを５ｍｍとする。そして、個包装体２０において、デザイン部４１は、包装材１０の開封端１０ａを跨ぎ、開封端１０ａよりも縦方向の他方側にも配置されているとよい。
【００６６】
例えば、ナプキン１の廃棄時に、包装材１０から止着テープ４０を分離する場合（図６Ａ）、デザイン部４１が大きいことで、デザイン部４１（粘着部４０１）が包装材１０の開封端１０ａを跨ぐように止着テープ４０を配置しやすくなる。また、包装材１０から止着テープ４０を分離しない場合にも、デザイン部４１が包装材１０の開封端１０ａを跨ぐことで、透明部４１１を介して開封端１０ａが視認され、指で押すべき部位（開封端１０ａよりも縦方向の一方側の部位）が分かりやすくなる。
【００６７】
また、図４Ｂに示すように、止着テープ４０では、縦方向の一方側の端部が、摘み部４２となっている。摘み部４２は非粘着部４０２であり、粘着剤４４が露出していない。そのため、ユーザーは、個包装体２０の開封時に、摘み部４２を把持して止着テープ４０を剥離できる。また、摘み部４２によって、ユーザーは止着テープ４０の剥離の方向を認知でき、個包装体２０の折りを展開できる。
【００６８】
そして、摘み部４２は透明部を備えていないものとする。つまり、摘み部４２の光線透過率は７０％未満であるとする。好ましくは、摘み部４２の光線透過率は５０％未満であるとよく、より好ましくは、摘み部４２の光線透過率は３０％未満であるとよい。本実施形態では、摘み部４２の全面が均一の濃度で着色されている（例えばピンク色に印刷されている）。
【００６９】
そうすることで、摘み部４２では、包装材１０の色やデザイン柄３０が透けて視認されにくく、摘み部４２は包装材１０と一体化しない。そのため、ユーザーは個包装体２０における止着テープ４１の位置を認知でき、個包装体２０をスムーズに開封できる。
【００７０】
【表１】
2018102978.tif 000003
【００７１】
表１は、５種類のサンプル１〜５の光線透過率、曇り度、目視による包装材１０の視認性について評価した結果である。サンプル１は、乳白色のフィルムに濃いピンク色の印刷を施したものである。サンプル２は、無色透明のフィルムにマットニスを施したものである。サンプル３は、無色透明のフィルムにグロスニスを施したものである。サンプル４は、無色透明フィルムに濃いピンク色の印刷を施したものである。サンプル５は、無色透明フィルムに淡いピンク色の印刷を施したものである。
【００７２】
光線透過率及び曇り度は、日本電色工業株式会社製の測色色差計を用いて、各サンプル単体で測定を行った。目視による包装材１０の視認性については、本実施形態の包装材１０の上にサンプル１〜５をそれぞれ載置し、被験者が、各サンプルを介して包装材１０のデザイン柄３０が視認可能であるかの評価を行った。被験者が、デザイン柄３０がはっきりと透けて見えると感じた場合には「○」、デザイン柄３０がうっすらと透けて見えると感じた場合には「△」、デザイン柄３０が見えないと感じた場合には「×」と、３段階で評価を行った。
【００７３】
表１の結果から、光線透過率が４０％前後の場合、包装材１０のデザイン柄３０がうっすらと透けて見える程度であることが分かった。そのため、光線透過率が５０％以上であれば、包装材１０のデザイン柄３０が透けて見えやすい印象となることが分かった。換言すると、光線透過率が５０％未満であれば、包装材１０のデザイン柄３０よりも止着テープ４０の視認性が高まることが分かった。よって、上記のように、摘み部４２の光線透過率を５０％未満にすることが好ましい。そうすることで、ユーザーが個包装体２０における摘み部４２の位置を認知しやすくなる。
【００７４】
また、図４Ａに示すように、止着テープ４０は、縦方向におけるデザイン部４１と摘み部４２の間において、中間部４３を有する。中間部４３は、透明部４１１に比べて光線透過率が低く、かつ、摘み部４２に比べて光線透過率が高くなっている。本実施形態では、中間部４３の全面が摘み部４２よりも淡い濃度で均一に着色されている（例えば淡いピンク色に印刷されている）。
【００７５】
そのため、止着テープ４０では、縦方向の他方側から一方側に向かって濃度が濃くなっており、縦方向に濃淡のグラデーションが形成されている。よって、ユーザーは止着テープ４０の剥離の方向を認知でき、個包装体２０の折りを展開できる。
【００７６】
また、図４Ｂに示すように、止着テープ４０の縦方向の端部を折り返すことで、摘み部４２を形成するとよい。この場合、折り返す前の止着テープ（不図示）において、片側全面に粘着剤４４を塗布できる。そして、折り返された止着テープ４０の部位で粘着剤４４を覆うことができ、非粘着部４０２である摘み部４２を形成できる。また、折り返す前の止着テープ（不図示）において、デザイン部４１以外の部位を全面均一に着色できる。この場合にも、全面均一に着色された止着テープ４０の部位のうち、止着テープ４０が折り返されて２層になっている部位を、光線透過率の低い摘み部４２とすることができ、止着テープ４０の折り返しが重ならない１層の部位を、光線透過率の高い中間部４３とすることができる。
【００７７】
ただし、止着テープ４０が折り返されて２層になっている部位を摘み部４２とする場合、図７Ａに示すように、摘み部４２の内側の端４２ａを起点に、摘み部４２が立ち上がりやすい。この場合、個包装体２０を厚み方向に見ると（図７Ｂ）、摘み部４２が視認されにくい。
【００７８】
そのため、中間部４３は、止着テープ４０の粘着部４０１と重なり部分を有するとよい。本実施形態では中間部４３の全域が粘着部４０１と重なる。そうすることで、個包装体２０において中間部４３は包装材１０に接合される。よって、個包装体２０を厚み方向に見た場合にも（図７Ｂ）、中間部４３は視認されやすい。そのため、ユーザーは、中間部４３に基づき、個包装体２０における止着テープ４０の位置、及び、止着テープ４０の剥離の方向を認知でき、個包装体２０をスムーズに開封できる。
【００７９】
また、デザイン部４１における柄部４１２の面積の割合が小さ過ぎると、ユーザーが個包装体２０における止着テープ４０に位置を認知しにくくなる。そこで、デザイン部４１における柄部４１２の面積の割合を１５％以上にすることが好ましい（ただし５０％未満）。そうすることで、ユーザーは、個包装体２０における止着テープ４０の位置を認知しやすく、個包装体２０をスムーズに開封できる。
【００８０】
また、デザイン部４１の柄部４１２は、光線透過率の異なる部位を有することが好ましい。本実施形態の柄部４１２は、図４Ａに示すように、光線透過率が高い（例えば淡いピンク色の）ドット４１２Ａと、光線透過率が低い（例えば濃いピンク色の）ドット４１２Ｂを有している。
【００８１】
そうすることで、光線透過率が高い柄部４１２Ａを介して包装材１０を透かして視認しやすくなり、使用済みナプキン１を包んだ包装材１０に止着テープ４０を止着しやすくなる。一方、光線透過率が低い柄部４１２Ｂによって、個包装体２０における止着テープ４０の位置が認知されやすくなる。
【００８２】
また、前述の表１の結果から、光線透過率が３５％以上である場合、包装材１０のデザイン柄３０がうっすらと透けて見えることが分かった。そこで、デザイン部４１の柄部４１２は、光線透過率が３５％以上７０％未満である部位（半透明部）を有するとよい。より好ましくは、光線透過率が５０％以上７０％未満である部位を有するとよい。そうすることで、柄部４１２を介して包装材１０を透かして視認しやすくなり、使用済みナプキン１を包んだ包装材１０に止着テープ４０を止着しやすくなる。
【００８３】
また、図４Ａに示すように、止着テープ４０の縁４０ａの少なくとも一部に、透明部４１１が配置されていることが好ましい。換言すると、止着テープ４０の縁４０ａに沿って柄部４１２が配置されていないことが好ましい。そうすることで、止着テープ４０の輪郭が分かりにくくなる。よって、本実施形態の止着テープ４０では、ナプキンの包装体の止着テープらしさを軽減できる。
【００８４】
また、デザイン部４１において、複数の柄部４１２が離散的に配置されていることが好ましい。つまり、デザイン部４１の広い範囲に亘り、複数の柄部４１２が分散して配置されていることが好ましい。そうすることで、各柄部４１２の周囲の透明部４１１によって、包装材１０を透かして視認しやすくなる。
【００８５】
なお、本実施形態では、複数の柄部４１２（ドット）が、止着テープ４０の縦方向及び横方向に等間隔で配置され、複数の柄部４１２が均等に分散して配置されている。ただしこれに限らず、複数の柄部４１２が間隔を空けて配置されていればよい。
【００８６】
また、包装材１０は、個包装体２０の外部から視認可能なデザイン柄３０を有する。本実施形態のデザイン柄３０は動物（猫）の図柄であり、個包装体２０は可愛らしいデザインとなっている。また、前述のように、本実施形態の止着テープ４０は、透明部４１１を有しており、ナプキンの包装体の止着テープらしさが軽減されている。そのため、例えば、ナプキンの使用期間が短いユーザーである若年層であっても、個包装体２０を携帯しやすくなっている。ただし、包装材１０はデザイン柄を有していなくてもよい。その場合にも、本実施形態の止着テープ４０を適応でき、使用済みナプキン１を包んだ包装材を止着テープ４０によって止着しやすくなる。
【００８７】
また、止着テープ４０の透明部４１１を介して包装材１０のデザイン柄３０が透けて視認可能となる。さらに、包装材１０が有する１つのデザイン柄３０（猫）の面積は、止着テープ４０が有する１つの柄部４１２（ドット）の面積よりも大きいことが好ましい。換言すると、個包装体２０において、包装材１０のデザイン柄３０（猫）の横方向の長さが、止着テープ４０の柄部４１２（ドット）の横方向の長さよりも長いことと、デザイン柄３０（猫）の縦方向の長さが、止着テープ４０の柄部４１２（ドット）の縦方向の長さよりも長いこととのうちの、少なくとも一方であるとよい。
【００８８】
そうすることで、柄部４１２において、包装材１０のデザイン柄３０の全てが隠れてしまうことを防止でき、個包装体２０のデザイン性の低下を抑制できる。なお、包装材１０が有するデザイン柄３０のうち、最大のデザイン柄３０の面積が最小の柄部４１２の面積よりも大きければよく、より好ましくは、最小のデザイン柄３０の面積が最大の柄部４１２の面積よりも大きいとよい。
【００８９】
また、包装材１０のデザイン柄３０は、包装材１０の内側面１０１に印刷されており、外側面１０２から透けて視認可能であることが好ましい。つまり、包装材１０の外側面１０２側から視認可能なデザイン柄３０Ａの濃度が、包装材１０の内側面１０１側から視認可能なデザイン柄３０Ｂの濃度よりも淡いとよい。
【００９０】
そうすることで、例えば、本実施形態の包装材１０のデザイン柄３０のように黒猫である場合にも、止着テープ４０と重なる包装材１０の黒猫（デザイン柄３０Ａ）の濃度が淡くなる。そのため、包装材１０のデザイン柄３０Ａによって、止着テープ４０の視認性が低下してしまうことを抑制できる。よって、個包装体２０における止着テープ４０の位置がユーザーに認知される。
【００９１】
なお、デザイン柄３０Ａ，３０Ｂの濃度の比較は周知の方法で行うとよい。例えば、測色器（コニカミノルタ社製の色彩色差計ＣＲ−３００等）を用いて、デザイン柄３０Ａ，３０Ｂの「色差」を測定する方法を例示できる。
具体的に説明すると、まず、測定対象の包装材１０の下に、白色の不織布（１５ｇ／ｍ2のＳＭＳ不織布）１０枚を配置する。
次に、色差計を用いて、剥離シートが位置しないデザイン柄３０Ａ，３０Ｂの部位、及び、白色の不織布を測定する。包装材１０の内側面１０１側から視認可能なデザイン柄３０Ｂを測定する場合には、包装材１０の内側面１０１を上にし、包装材１０の外側面１０２側から視認可能なデザイン柄３０Ａを測定する場合には、包装材１０の外側面１０２を上にする。なお、測定値（Ｌ*値、ａ*値、ｂ*値）は複数回（例えば５回）測定した値の平均値を用いるとよい。
次に、白色の不織布の測定結果と、各デザイン柄３０Ａ，３０Ｂの測定結果との差（ΔＬ*、Δａ*、Δｂ*）に基づき、白色に対する各デザイン柄３０Ａ，３０Ｂの色差ΔＥ*ａｂを次式にて算出する。
ΔＥ*ａｂ＝[（ΔＬ*）2＋（Δａ*）2＋（Δｂ*）2]1/2
この色差ΔＥ*ａｂで比較するとよい。
【００９２】
＜＜止着テープ４０の変形例＞＞
図８Ａ及び図８Ｂは、止着テープ４０の変形例を説明する図である。上記実施形態の止着テープ４０（図４Ａ）では、摘み部４２が均一の濃度で着色されているがこれに限らない。例えば、図８Ａに示すように、製造途中の止着テープ４０’の全面が、透明部４１１及び柄部４１２から構成されていてもよい。そして、透明部４１１及び柄部４１２から構成される部位（つまりデザイン部４１）を折り返すことによって、非粘着部４０２である摘み部４２を形成してもよい。この摘み部４２は、デザイン部４１が折り返された部位である第１層部４５と、第１層部４５に重なるデザイン部４１の部位である第２層部４６とを有する。
【００９３】
この場合、図８Ｂに示すように、第１層部４５の柄部４１２Ａの少なくとも一部が、第２層部４６の柄部４１２Ｂとずれていることが好ましい。そうすることで、摘み部４２では、デザイン部４１に比べて、柄部４１２の面積比率が高まり、摘み部４２の視認性が高まる。よって、摘み部４２により、個包装体２０における止着テープ４０の位置がユーザーに認知されやすくなる。
【００９４】
また、図示しないが、デザイン部４１のみで構成される止着テープや、中間部４３を有さずデザイン部４１及び摘み部４２から構成される止着テープであってもよい。また、摘み部４２が、資材の折り返しで形成されるのではなく、１層の資材で形成されていてもよい。また、デザイン部４１（透明部４１１）の一部だけが粘着部４０１と重なった止着テープや、非粘着部４０２を有さない止着テープや、摘み部４２が粘着部４０１と重なった止着テープであってもよい。
【００９５】
また、個包装体２０における止着テープ４０のデザイン部４１の位置も、上記の実施形態に限定されない。例えば、包装材１０の開封端１０ａをデザイン部４１が跨いでいなかったり、包装材１０の開封端１０ａよりも縦方向の一方側にデザイン部４１が位置していなかったりしてもよい。
【００９６】
＜＜パッケージ５０＞＞
図９Ａは、個包装体２０のパッケージ５０の概略斜視図である。図９Ｂ及び図９Ｃは、パッケージ５０が内包する個包装体２０の平面図である。図９Ａに示すように、個包装体２０はパッケージ５０（袋体）に複数内包された状態で流通する。その場合、パッケージ５０は、図９Ｂ及び図９Ｃに示すように、包装材１０が有するデザイン柄３０に対する止着テープ４０の重なり部分が異なる複数の個包装体２０を有することが好ましい。そうすることで、個包装体２０によってデザインの違いを楽しめる。
【００９７】
また、包装材１０のデザイン柄３０に対する止着テープ４０の重なり部分が小さい個包装体２０（例えば図９Ｂ）を見たユーザーの潜在意識には、止着テープ４０のデザインが刷り込まれる。そのため、ユーザーは、包装材１０のデザイン柄３０に対する止着テープ４０の重なり部分が大きい個包装体２０（例えば図９Ｃ）を見たときも、止着テープ４０を認知しやすくなる。
【００９８】
以上、上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【符号の説明】
【００９９】
１  ナプキン（吸収性物品）、
２  吸収体、３  トップシート、５  ウィング部、
１０  包装材、
２０  個包装体（吸収性物品包装体）
３０  （包装材の）デザイン柄、
４０  止着テープ、４０１  粘着部、４０２  非粘着部、
４１  デザイン部、４１１  透明部、４１２  柄部、
４２  摘み部、４３  中間部、４４  粘着剤、
５０  パッケージ、
【図１】
2018102978.tif 000004
【図２】
2018102978.tif 000005
【図３】
2018102978.tif 000006
【図４】
2018102978.tif 000007
【図５】
2018102978.tif 000008
【図６】
2018102978.tif 000009
【図７】
2018102978.tif 000010
【図８】
2018102978.tif 000011
【図９】
2018102978.tif 000012